(57)【特許請求の範囲】
【請求項１】
内部に空洞部を有する筺体と、該筺体に回転可能に軸支され、該筺体の外側に突出し、前記筺体寄りに細軸部、前記筺体から離れた部分に太軸部を形成し、その境界に段部を形成した操作軸と、該操作軸に弾接して前記筺体内部の空洞部を遮蔽する遮蔽部材とを備え、該遮蔽部材に端面を有する円錐台形状、あるいは角錐台形状からなる弾性を有する舌片部を形成し、前記操作軸の段部と前記遮蔽部材の舌片部との関係を、前記端面と前記円錐台形状、あるいは角錐台形状の傾斜面とが交わる交点Ｘから前記操作軸の段部までの隙間寸法をａとし、前記交点Ｘから前記太軸部外周までの半径方向の寸法をｃとし、該寸法ｃを前記隙間寸法ａより大きく形成し、前記舌片部を前記段部近傍の細軸部に弾接したことを特徴とする回転型センサ。
【請求項２】
前記端面を傾斜面となし、該端面の傾斜面と前記操作軸の表面とで形成する角度を、前記円錐台形状、あるいは角錐台形状の傾斜面と前記操作軸の表面とが形成する角度より大きく、且つ鋭角に形成したことを特徴とする請求項１記載の回転型センサ。
【発明の詳細な説明】
【０００１】
【発明の属する技術分野】
本発明は、例えば自動車等の外部に取り付けられて、該自動車の車高変化を検出することができる車高センサ等に用いて最適な回転型センサに関する。
【０００２】
【従来の技術】
この種の回転型センサ、例えば車高センサは、自動車等の外部に取り付けられて、搭乗者の体重や積荷の荷重、あるいは、路面の凹凸等によって、車輪からの振動が緩衝器を介して車体に伝わり、車体と車軸との距離、即ち車高の変化を検出する。そして、例えばこの車高の変化に応じて、緩衝器の緩衝特性を自動的に調整し得るようにしたものがある。
このような従来の回転型センサは  図５に示すように筺体１の一方側である図示右側の円筒部１ａ内に開口部１ｂが形成されて、筺体１の内部は中空状の空洞部２が形成されている。また、筺体１の他方側である図示左側の円筒部１ｃ内には凹部１ｄが形成され、この凹部１ｄ底部には空気孔１ｆを有する底板１ｅが形成されている。
また、底板１ｅから筺体１の中空内部に向けて軸受け保持部１ｇが突出形成され、この軸受け保持部１ｇには金属等から成る軸受け３がインサート成形等により取り付けられている。
【０００３】
この軸受け３には回転可能な操作軸４が挿入されて軸支されている。この操作軸４は軸受け３から摘み部４ａが図示左側の筺体１の外方に向かって突出している。
また、操作軸４には、軸受け３から筺体１内部の空洞部４に向かって突出する先端部４ｂが形成され、この先端部３ｂには図示を省略した摺動子受け等が取り付けられている。
また、図示右側の円筒部１ａ内の開口部１ｂには、図示を省略した絶縁基板等を取り付けたホルダ５が、開口部１ｂに圧入等により取り付けられている。このホルダ５によって筺体１の内部に空洞部２が蓋閉され、該空洞部２には、前記図示しない摺動子受け等から成る可変抵抗器（図示せず）が構成されている。
【０００４】
また、前記空洞部２を蓋閉するホルダー５の外面側の開口部１ｂには充填部材６が流し込まれて、空洞部４の開口部１ｂ側が密閉されている。
また、筺体１の図示左側の円筒部１ｃの凹部１ｄには、ゴム等から成るシーリング７が圧入されている。このシーリング７には操作軸４の摘み部４ａに弾接する舌片７ａが形成されている。この舌片７ａの端面７ｂが摘み部４ａの外周に弾接することにより、筺体１の凹部１ｄ側が密封される。
また、前記舌片７ａは薄肉形状に形成されているので、端面７ｂが操作軸４の外周に弾接しても、操作軸４の回転トルクにはほとんど影響しないようになっている。
また、シーリング７の内部には金属から成る補強部材７ｃが埋め込まれている。
そして、従来の回転型センサは、一方側は充填部材６と、他方側がシーリング７とで空洞部２が外部から遮蔽されて、空洞部２に水等が侵入しないような防水構造に構成されている。
【０００５】
【発明が解決しようとする課題】
しかし、前述のような従来の回転型センサを自動車等の外部に取り付けた場合、この自動車を雨等が降っているときに運転すると、図６に示すように、雨等の水圧が矢印Ａ方向、あるいはＢ方向から加わると、この水圧によりゴム等から成る舌片７ａの端面７ｂがめくれて、操作軸４の外周と舌片７ａとに隙間ができることがある。
この隙間から雨等が筺体１の内部に侵入して、空洞部４内の例えば摺動子や抵抗耐等が前記雨で濡れて、従来の回転型センサの性能が劣化、または故障することがあった。
【０００６】
【課題を解決するための手段】
前記課題を解決するための第１の手段として本発明の傾斜センサは、内部に空洞部を有する筺体と、該筺体に回転可能に軸支され、該筺体の外側に突出し、前記筺体寄りに細軸部、前記筺体から離れた部分に太軸部を形成し、その境界に段部を形成した操作軸と、該操作軸に弾接して前記筺体内部の空洞部を遮蔽する遮蔽部材とを備え、該遮蔽部材に端面を有する円錐台形状、あるいは角錐台形状からなる弾性を有する舌片部を形成し、前記操作軸の段部と前記遮蔽部材の舌片部との関係を、前記端面と前記円錐台形状、あるいは角錐台形状の傾斜面とが交わる交点Ｘから前記操作軸の段部までの隙間寸法をａとし、前記交点Ｘから前記太軸部外周までの半径方向の寸法をｃとし、該寸法ｃを前記隙間寸法ａより大きく形成し、前記舌片部を前記段部近傍の細軸部に弾接した構成とした。
【０００８】
また、前記課題を解決するための第２の手段として、前記端面を傾斜面となし、該端面の傾斜面と前記操作軸の表面とで形成する角度を、前記円錐台形状、あるいは角錐台形状の傾斜面と前記操作軸の表面とが形成する角度より大きく、且つ鋭角に形成した構成とした。
【０００９】
【発明の実施の形態】
本発明の回転型センサを図１〜図４に基づいて説明する。まず、本発明の回転型センサの１実施の形態として図１に示すように、外形が略円筒状に形成された樹脂材料等から成る筺体１１が配設されている。
この筺体１１の一方側である図示右側には円筒部１１ａが形成され、該円筒部１１ａ内に形成された開口部１１ｂにより、筺体１１の内部は中空状の空洞部１２が形成されている。
また、筺体１１の他方側である図示左側にも円筒部１１ｃが形成され、この円筒部１１ｃには凹部１１ｄが形成され、該凹部１１ｄには底板１１ｅが形成されて、空洞部１２と仕切られている。
【００１０】
また、この底板１１ｅには、本発明の回転型センサを組立る時に、後述する充填部材２１を熱硬化させるに際して、空洞部１２内の膨張した空気を逃がすための空気抜き孔１１ｆが形成されて、空洞部１２と凹部１１ｄとはつながっている。
また、底板１１ｅの内面からは、軸受け保持部１１ｇが空洞部１２内に向けて突出形成されている。この軸受け保持部１１ｇには金属等から成る、軸孔１３ａを有する軸受け１３がインサート成形等により取り付けられている。
この軸受け１３の軸孔１３ａには、筺体１１の外側に突出する摘み部１４ａを有する操作軸１４が挿入されて、該操作軸１４は筺体１１に回転可能に軸支されている。この操作軸１４は金属棒等から成り、前記、筺体１１の外側に突出する摘み部１４ａは、筺体１１寄りに細軸部１４ｂと、筺体１１から離れた部分に太軸部１４ｃとを有し、その境界には段部１４ｄが形成されている。
【００１１】
また、操作軸１４は軸受け１３から空洞部１２内に突出する先端部１４ｅが形成され、該先端部１４ｅには、例えば可変抵抗器を構成する摺動子受け１５がカシメ等により取り付けられている。この摺動子受け１５の図示右側の面には弾力性のある金属板から成る摺動子片１６カシメ付けられている。
また、摺動子受け１５の摺動子片１６が取り付けられた面と対向する側の空洞部１２には、絶縁基板１７を取り付けたホルダ１８が、空洞部１２を蓋閉するように開口部１１ｂに圧入等により取り付けられている。
前記絶縁基板１７には抵抗対パターン（図示せず）が形成されて、該抵抗対パターンに前記摺動子片１６が弾接して可変抵抗器が構成されている。
【００１２】
また、絶縁基板１７の端部にはクリップ状の端子１９が取り付けられて、この端子１９は一方側のリード線取付部１９ａが、図示右側に直角に折り曲げられて形成されている。
このリード線取付部１９ａにリード線２０が半田付け等により取り付けられて、該リード線２０が筺体１１の外部に導出されている。
また、前記開口部１１ｂに取り付けられたホルダー１８の外側には、開口部１１ｂを塞ぐように充填部材２１が流し込まれて熱硬化させ、空洞部１２の図示右側の開口部１１ｂ側が閉塞されている。
【００１３】
また、筺体１１の図示左側の円筒部１１ｃの凹部１１ｄには、ゴム等のシーリングから成る遮蔽部材２２が圧入等により取り付けられている。
この遮蔽部材２２の内部には、断面が略Ｌ字状の金属性の補強部材２２ａが埋め込まれているので、凹部１１ｄに遮蔽部材２２を圧入しても、遮蔽部材２２が変形しないようになっている。
また、遮蔽部材２２の中心部には、前記操作軸１４の摘み部１４ａの細軸部１４ｂの外径寸法より小さい寸法の貫通孔２２ｂが形成されて、該貫通孔２２ｂに前記摘み部１４ａの細軸部１４ｂを押し込んで、遮蔽部材２２が前記凹部１１ｄに取り付けられている。
また、前記貫通孔２２ｂの周囲には、該貫通孔２２ｂを形成する外側の舌片部２３と、内側の舌片部２４とが二重に形成されて、外形が円錐台形状、あるいは角錐台形状になっている。
【００１４】
そして、前記細軸部１４ｂを遮蔽部材２２の貫通孔２２ｂに押し込むと、それぞれの舌片部２３、２４の先端の端面２３ａ、２４ａが、細軸部１４ｂの外周に弾接して、前記貫通孔２２ｂの内面が細軸部１４ｂの外周表面に密着し、筺体１１の空洞部１２を遮蔽するようになっている。
また前記外側の舌片部２３の端面２３ａは操作軸１４の段部１４ｄに近傍の細軸部１４ｂに弾接するように遮蔽部材２２が筺体１１に取り付けられている。
前記二重構造の舌片部２３、２４の肉厚を薄くして、操作軸１４に弾接しているので、操作軸１４の回転トルクが大きくならず、本発明の回転型センサの操作性に影響しないようになっている。また、舌片部２３、２４を２重構造にしているので、空洞部１２の密閉度が向上するようになっている。
【００１５】
このような構成の本発明の回転型センサは、筺体１１の空洞部１２が、一方側は充填部材２１で遮蔽され、他方側は遮蔽部材２２で遮蔽されて、空洞部１２が密閉されているので、外部から水等が侵入しない防水構造になっている。
また、前記遮蔽部材２２と操作軸１４の段部１４ｄとの関係を、図２の部分拡大図で詳細に説明する。まず、前記舌片部２３、２４は端面２３ａ、２４ａを有する円錐台形状、あるいは角錐台形状に形成されている。
この舌片部２３の端面２３ａを図２に示すような傾斜面となし、該端面２３ａの傾斜面と前記操作軸１４の表面とで形成する角度αを、前記円錐台形状、あるいは角錐台形状の傾斜面２３ｂと前記操作軸１４表面とで形成する角度βより大きく、且つ９０゜以下の鋭角に形成されている。
なお、実際の舌片部２３、２４の端面２３ａ、２４ａの寸法は非常に小さくて、角度αは略９０゜であるが、図２においては説明の都合上誇張して図示している。
【００１６】
また、操作軸１４の段部１４ｄと遮蔽部材２２の舌片部２３との関係は、前記端面２３ａの角度αで形成された傾斜面と、前記円錐台形状、あるいは角錐台形状の角度βで形成された傾斜面２３ｂとが交わる部分２３ｃから、前記操作軸１４の段部１４ｄまでの隙間寸法をａとし、前記交点Ｘから前記段部１４ｄ外周までの半径方向の寸法をｃとし、該寸法ｃは前記隙間寸法ａより大きく形成されている。
そのために、段部１４ｄが舌片部２３に対して傘の役目をして、操作軸１４の中心線２５と平行方向の矢印Ａ方向から、雨等の水圧が加わっても、舌片部２３の端面２３ａには水圧が加わらない。また、雨等の水圧が中心線２５に対して角度４５゜傾いた方向から加わったとしても、前記水圧を段部１４ｄで遮ることができる。
なお、中心線２５に対して４５゜以上の方向からの水圧に対して舌片部２３は操作軸１４に密着する方の圧力が加わるので、舌片部２３がめくれることはない。従って、どの方向からの水圧が舌片部に加わっても空洞部１２内部を確実に密閉することができる。
【００１７】
また、前記舌片部２３の端面２３ａを図２に示すような傾斜面で説明したが、端面２３ａは傾斜面に限定されることはなく、図３に示すように端面２３ａをアール状の湾曲面で形成したものでもよい。
また、前記操作軸１４の段部１４ｄを、細軸部１４ｂと太軸部１４ｃとで形成したもので説明したが、段部１４ｄは図４に示すようなリング部材２６を摘み部１４ａに圧入、あるいは接着剤止めしたものでもよい。
【００１８】
【発明の効果】
本発明の回転型センサは、遮蔽部材に弾性を有する舌片部を形成し、該舌片部を前記段部近傍の細軸部に弾接したので、前記段部によって、雨等の水圧を防ぐことができ、防水性の高い回転型センサを提供することができる。
また、前記舌片部を端面を有する円錐台形状、あるいは角錐台形状で構成し、前記操作軸の段部と前記遮蔽部材の舌片部との関係を、前記端面と前記円錐台形状、あるいは角錐台形状の傾斜面とが交わる交点Ｘから前記操作軸の段部までの隙間寸法をａとし、前記交点Ｘから前記太軸部外周までの半径方向の寸法をｃとし、該寸法ｃを前記隙間寸法ａより大きく形成したので、前記段部で舌片部の端面に加わる雨等の水圧を防ぐことができ、端面が操作軸の表面からめくれることがない回転型センサを提供することができる。
【００２０】
また、前記端面を傾斜面となし、該端面の傾斜面と前記操作軸の表面とで形成する角度を、前記円錐台形状、あるいは角錐台形状の傾斜面と前記操作軸の表面とが形成する角度より大きく、且つ鋭角に形成したので、雨等の水圧が舌片部の端面に加わったとしても、舌片部の端面が操作軸の表面からめくれることを防ぐことができ、また、舌片部の端面が鋭角であるから、端面と操作軸との間に水が溜まることはない。
【図面の簡単な説明】
【図１】本発明の回転型センサの断面図。
【図２】本発明の回転型センサの要部拡大図。
【図３】本発明の回転型センサの要部拡大図。
【図４】本発明の回転型センサのその他の実施の形態の腰部断面図。
【図５】従来の回転型センサの要部断面図。
【図６】従来の回転型センサの不都合を説明する部分断面図。
【符号の説明】
１１  筺体
１１ａ円筒部
１１ｂ開口部
１１ｃ円筒部
１１ｄ凹部
１１ｅ底板
１１ｆ空気抜き孔
１１ｇ軸受け保持部
１２  空洞部
１３  軸受け
１３ａ軸孔
１４  操作軸
１４ａ摘み部
１４ｂ細軸部
１４ｃ太軸部
１４ｄ段部
１４ｅ先端部
１５  摺動子受け
１６  摺動子片
１７  絶縁基板
１８  ホルダ
２１  充填部材
２２  遮蔽部材
２２ａ補強部材
２２ｂ貫通孔
２３  舌片部
２３ａ先端部
２３ｂ傾斜面
２４  舌片部
２４ａ先端部
２５  中心線
２６  リング部材
【図１】
0003612188.tif 000002
【図２】
0003612188.tif 000003
【図３】
0003612188.tif 000004
【図４】
0003612188.tif 000005
【図５】
0003612188.tif 000006
【図６】
0003612188.tif 000007